(57)【特許請求の範囲】
【請求項１】
筒状で変形自在な伸縮体と、弾性を有し前記伸縮体の長手方向に沿って配設された線状体と、筒状で前記伸縮体の一端部に接続された専管体と、筒状で前記専管体の反伸縮体側の端部に接続され使用者がくわえて空気を吹き込む口吹体と、を備え、前記口吹体から空気を吹き込むと前記伸縮体が伸び、空気を吹き込まない状態では、前記線状体の弾性力によって前記伸縮体が渦巻状に巻かれる吹き戻しであって、
前記線状体の弾性力が所定の値に設定され、さらに、前記口吹体内に前記伸縮体側に流入する空気量を調整する流量調整手段を備えることで、前記口吹体から空気を吹き込む力が所定値以上でないと、前記伸縮体が伸びないようになっている、
ことを特徴とする吹き戻し。
【請求項２】
前記流量調整手段は、前記口吹体に一体的に形成されて空気を絞る絞り部と、環状で前記口吹体に装着されて空気を絞る絞り体と、を備える、
ことを特徴とする請求項１に記載の吹き戻し。
【請求項３】
前記伸縮体は、略四角形のシート状の第１の素材と帯状の第２の素材とから構成され、前記第１の素材の一端部が上側に位置するように該一端部と他端部とを重ねて筒状とされ、前記一端部と前記他端部とが重なる重なり部の表面側に前記線状体が配置された状態で、前記第２の素材が前記重なり部の表面側を覆うようにして前記第１の素材に接続されることで、前記線状体が前記伸縮体に一体的に配設されている、
ことを特徴とする請求項１または２のいずれか１項に記載の吹き戻し。
【請求項４】
複数の前記線状体が配設されることで、前記口吹体から空気を吹き込む力が所定値以上でないと、前記伸縮体が伸びないようになっている、
ことを特徴とする請求項１から３のいずれか１項に記載の吹き戻し。
【発明の詳細な説明】
【技術分野】
【０００１】
この発明は、吹き戻しに関し、特に、健康促進や治療、美容などの目的に利用可能な吹き戻しに関する。
【背景技術】
【０００２】
吹き戻しは、古くから吹き戻し玩具として知られている。この吹き戻しは、筒状の伸縮体（袋状部）の長手方向に沿って線状のバネ材が配設され、伸縮体の一端部から空気を吹き込むと伸縮体が伸び、空気を吹き込まない状態では、バネ材の弾性力によって伸縮体が渦巻状に巻かれるものである。
【０００３】
このような吹き戻しは、従来、主に子供の玩具として使用されていたが、健康促進や治療、美容などの目的に利用可能な吹き戻しが知られている（例えば、特許文献１参照。）。この吹き戻しは、抗菌性の柔軟材料から形成されたマウスピースを、吹き込み部に着脱自在に備えることで、長期間の繰り返し使用によっても衛生状態を良好に保ち得るものである。
【先行技術文献】
【特許文献】
【０００４】
【特許文献１】実用新案登録第３１３７９４４号公報
【発明の概要】
【発明が解決しようとする課題】
【０００５】
ところで、伸縮体を伸ばすのに要する吹く力（必要呼気力）は、主としてバネ材の弾性力に依存するが、この必要呼気力（弾性力）は、従来、主たる使用者である子供が容易に伸縮体を伸ばせる、ことを主要件として設定されていた。しかしながら、本願発明者は、健康促進や治療、美容などの目的や、使用者の口腔機能状態や体調等の使用者状況などにより、伸縮体を伸ばすのに要する必要呼気力を変えることが望ましい、と考えた。例えば、健康促進に適した必要呼気力と、美容に適した必要呼気力とは異なるものであり、目的や使用者状況などに適した必要呼気力に設定することが望ましい。
【０００６】
そして、伸縮体を伸ばすのに要する必要呼気力を変えるには、バネ材の弾性力を変えることが考えられるが、目的などに応じて必要呼気力を微妙に変える必要がある一方で、バネ材の弾性力を変えるだけでは所望の必要呼気力に微調整することが困難である。また、バネ材の弾性力が伸縮体を伸ばすのに要する力と同値にならない場合がある。この結果、必要呼気力を目的や使用者状況などに応じた適正値に、正しく設定することが困難であった。
【０００７】
そこでこの発明は、伸縮体を伸ばすのに要する必要呼気力を目的や使用者状況などに応じた適正値に、精度高く設定可能な吹き戻しを提供することを目的とする。
【課題を解決するための手段】
【０００８】
上記課題を解決するために、請求項１の発明は、筒状で変形自在な伸縮体と、弾性を有し前記伸縮体の長手方向に沿って配設された線状体と、筒状で前記伸縮体の一端部に接続された専管体と、筒状で前記専管体の反伸縮体側の端部に接続され使用者がくわえて空気を吹き込む口吹体と、を備え、前記口吹体から空気を吹き込むと前記伸縮体が伸び、空気を吹き込まない状態では、前記線状体の弾性力によって前記伸縮体が渦巻状に巻かれる吹き戻しであって、前記線状体の弾性力が所定の値に設定され、さらに、前記口吹体内に前記伸縮体側に流入する空気量を調整する流量調整手段を備えることで、前記口吹体から空気を吹き込む力（必要呼気力・呼気圧）が所定値以上でないと、前記伸縮体が伸びないようになっている、ことを特徴とする。
【０００９】
請求項２の発明は、請求項１に記載の吹き戻しにおいて、前記流量調整手段は、前記口吹体に一体的に形成されて空気を絞る絞り部と、環状で前記口吹体に装着されて空気を絞る絞り体と、を備える、ことを特徴とする。
【００１０】
請求項３の発明は、請求項１または２に記載の吹き戻しにおいて、前記伸縮体は、略四角形のシート状の第１の素材と帯状の第２の素材とから構成され、前記第１の素材の一端部が上側に位置するように該一端部と他端部とを重ねて筒状とされ、前記一端部と前記他端部とが重なる重なり部の表面側に前記線状体が配置された状態で、前記第２の素材が前記重なり部の表面側を覆うようにして前記第１の素材に接続されることで、前記線状体が前記伸縮体に一体的に配設されている、ことを特徴とする。
【００１１】
請求項４の発明は、請求項１から３に記載の吹き戻しにおいて、複数の前記線状体が配設されることで、前記口吹体から空気を吹き込む力が所定値以上でないと、前記伸縮体が伸びないようになっている、ことを特徴とする。
【発明の効果】
【００１２】
請求項１の発明によれば、線状体の弾性力が所定の値に設定され、さらに、口吹体内に伸縮体側に流入する空気量を調整する流量調整手段を備えることで、口吹体から空気を吹き込む力が所定値以上でないと、伸縮体が伸びないようになっている。つまり、線状体の弾性力と、流量調整手段による空気量の調整との双方によって、伸縮体を伸ばすのに要する必要呼気力が設定されている。このため、線状体と流量調整手段との双方を調整することで、必要呼気力を目的や使用者状況などに応じた適正値に、精度高く設定することが可能となる。
【００１３】
請求項２の発明によれば、流量調整手段に絞り部と絞り体とを備えるため、絞り部と絞り体との双方を調整することで、伸縮体側に流入する空気量をより精度高く微調整することが可能となる。この結果、伸縮体を伸ばすのに要する必要呼気力を目的や使用者状況などに応じた適正値に、より精度高く設定することが可能となる。
【００１４】
請求項３の発明によれば、線状体が伸縮体に一体的に配設されているため、線状体の弾性力がそのまま伸縮体に伝わる。この結果、線状体に設定されている弾性力がそのまま、伸縮体を伸ばすのに要する必要呼気力に影響するため、線状体の弾性力を所定値に設定することで、必要呼気力を所望の適正値により精度高く設定することが可能となる。しかも、第１の素材の一端部と他端部との重なり部に線状体が配置され、さらに、線状体の上から第２の素材が配置されているため、線状体が２つの素材で強固に挟持、保持され、線状体が伸縮体に強固に一体的に配設される。
【００１５】
請求項４の発明によれば、複数の線状体が配設されて、伸縮体を伸ばすのに要する必要呼気力が設定されている。このため、線状体の配設数を調整することで、必要呼気力を所望の適正値により精度高く設定することが可能となる。
【図面の簡単な説明】
【００１６】
【図１】この発明の実施の形態に係る吹き戻しを示す斜視図である。
【図２】図１の吹き戻しの伸縮体が伸びた状態を示す平面図である。
【図３】図１の吹き戻しの線状体の配設状態を示す図である。
【図４】図１の吹き戻しの口吹体を示す断面図である。
【発明を実施するための形態】
【００１７】
以下、この発明を図示の実施の形態に基づいて説明する。
【００１８】
図１〜図４は、この発明の実施の形態を示し、図１は、この実施の形態に係る吹き戻し１を示す斜視図である。この吹き戻し１は、特に、健康促進や治療、美容などの目的に利用可能な吹き戻しであり、主として、伸縮体２と、線状体３と、専管体４と、口吹体５と、空気調整体（流量調整手段）６と、を備えている。
【００１９】
伸縮体２は、筒状で変形自在な袋状部であり、所定の厚み、強度、密度（単位面積当たりの重量）、耐久性などの材質（特性）を有する紙材を、素材２１、２２として構成されている。この伸縮体２は、図２に示すように、空気が吹き込まれて膨らんだ状態で、断面が円形となり、その内径が専管体４の外径よりもやや大きくなるように設定されている。このような伸縮体２は、略長方形（略四角形）のシート状の第１の素材２１を、後述するようにして折り曲げることで、筒状に形成されている。
【００２０】
また、伸縮体２の長さ（線状体３が挿入された部分を除く長さ）Ｌは、健康促進や治療、美容等の目的（吹き戻し１の使用目的）や、使用者の口腔機能状態や体調等の使用者状況などに応じて設定されている。すなわち、伸縮体２を全長Ｌにわたって伸ばすのに要する空気量が、目的や使用者状況などに応じて予め設定された適正空気量になるように、伸縮体２の長さＬが設定されている。
【００２１】
線状体３は、弾性を有し伸縮体２の長手方向に沿って真っ直ぐに配設された線材である。すなわち、ステンレス製の針金で構成され、外力を加えない状態（伸縮体２に空気を吹き込まない状態）では、渦巻状・コイル状に巻かれ、真っ直ぐに伸ばして外力を解除すると、渦巻状に戻ろうとする弾性力が作用するものであり、その弾性力（弾性係数）は、所定の値に設定されている。すなわち、伸縮体２を伸ばすのに要する必要呼気力が、目的や使用者状況などに応じて設定された適正値になるように、換言すると、口吹体５から空気を吹き込む力（呼気圧）が適正値（所定値）以上でないと、伸縮体２が伸びないように、弾性力が所定値に設定されている。
【００２２】
ここで、例えば、健康促進を目的する場合であっても、使用者の口腔機能状態や体調（年齢）等に応じて、低い順にレベル０、レベル１、レベル２などの異なる適正値が設定される場合がある。つまり、目的や使用者状況などに応じて、吹き込む力（呼気圧）の適正値が細かく設定されている。
【００２３】
また、１つの線状体３では所定値の弾性力を正確に得られない場合や、複数の線状体３によって所定値の弾性力をより正確かつ容易に得られる場合には、複数の線状体３が配設されている。すなわち、複数の線状体３が配設されることで、口吹体５から空気を吹き込む力が適正値（所定値）以上でないと、伸縮体２が伸びないようになっている。例えば、レベル１に対しては、所定値の弾性力の線状体３が１つ配設され、レベル２に対しては、同所定値の弾性力の線状体３が２つ配設されている。
【００２４】
このような線状体３は、伸縮体２が渦巻状に巻かれる内輪側に、図３に示すようにして、伸縮体２内に収容、配設されている。すなわち、伸縮体２は、略長方形の第１の素材２１と帯状の第２の素材２２とから構成され、第１の素材２１の一端部２１ａが上側に位置するように、一端部２１ａと他端部２１ｂとを重ねて接着して筒状とされている。そして、一端部２１ａと他端部２１ｂとが重なる重なり部２１ｃの表面側（外面側）に線状体３が配置された状態で、第２の素材２２が重なり部２１ｃの表面全体を覆うようにして第１の素材２１に接着・接続されることで、線状体３が伸縮体２に一体的に配設されている。
【００２５】
このように、第１の素材２１の一端部２１ａと他端部２１ｂとの重なり部２１ｃの上に線状体３が配置され、さらに、線状体３の上から第２の素材２２が配置されているため、線状体３が２つの素材２１、２２で強固に挟持、保持された状態となる。この結果、線状体３が伸縮体２と強固に一体的となっている。ここで、図３では、２つの線状体３が配設されている場合を示しているが、線状体３の配設数は、上記のように設定される。
【００２６】
専管体４は、筒状で伸縮体２の一端部に接続された専管部である。すなわち、所定の材質を有する紙材で構成された円筒体で、図２に示すように、その一端部が伸縮体２の一端部内に挿入されて、ビニルテープなどで接続されている。この専管体４の内径と長さは、使用者が容易に持つことができ、かつ、口吹体５から伸縮体２に空気を吹き込みやすいように設定されている。
【００２７】
口吹体５は、筒状で専管体４の反伸縮体２側の端部（他端部）に接続され、使用者が口にくわえて空気を吹き込む口吹部であり、内部には、伸縮体２側に流入する空気量を調整する空気調整体６を備える。
【００２８】
すなわち、口吹体５は、樹脂製で、図４に示すように、第１の胴部５１と、第２の胴部５２と、第３の胴部５３と、を備え、第１の胴部５１は、一端側がやや細い円柱状となっている。第２の胴部５２は、第１の胴部５１の他端部に設けられ、第１の胴部５１側の外径が小さい円錐状となっている。第３の胴部５３は、第２の胴部５２の反第１の胴部５１側に設けられ、その外径が専管体４の内径とほぼ同寸法に設定されている。そして、専管体４内に第３の胴部５３が挿入・圧入されることで、口吹体５が専管体４に接続されている。
【００２９】
また、口吹体５内には、第１の胴部５１と第２の胴部５２に位置する第１の穴部５４と、第２の胴部５２と第３の胴部５３に位置する第２の穴部５５と、第３の胴部５３に位置する第３の穴部５６と、が形成されている。これらの穴部５４〜５６は、口吹体５と同心状に形成され、各内径は、伸縮体２側に空気が流入しやすいように設定され、第１の穴部５４、第２の穴部５５、第３の穴部５６の順に大きくなるように設定されている。
【００３０】
空気調整体６は、口吹体５に一体的に形成されて空気を絞る絞り部６１と、円環状で口吹体５に装着されて空気を絞る絞り体６２と、を備える。絞り部６１は、第１の穴部５４と第２の穴部５５との間に形成された隔壁で、中心部に第１の絞り穴６１ａが形成されている。そして、第１の穴部５４側からの空気が、第１の絞り穴６１ａを通過することで絞られて、所定流量の空気が第２の穴部５５側に流入するようになっている。
【００３１】
絞り体６２は、金属製の円板で、その外径は、第３の穴部５６の内径とほぼ同寸法に設定され、第３の穴部５６内に挿入・圧入されて、第２の穴部５５と第３の穴部５６との段差部に装着されている。また、絞り体６２の中心部には、第２の絞り穴６２ａが形成され、第５の穴部５５側からの空気が、第２の絞り穴６２ａを通過することで絞られて、所定流量の空気が第３の穴部５６側に流入するようになっている。ここで、この実施の形態では、第１の絞り穴６１ａおよび第２の絞り穴６２ａの直径は、第１の穴部５４の直径の半分程度に設定されている。
【００３２】
このように、吹き込まれた空気を絞り部６１と絞り体６２とで絞って、空気を伸縮体２に送るものであり、これにより、口吹体５から空気を吹き込む力が所定値以上でないと、伸縮体２が伸びないようになっている。換言すると、口吹体５から空気を吹き込む力（呼気圧）が、目的や使用者状況などに応じて設定された適正値以上でないと、伸縮体２が伸びないように、絞り部６１と絞り体６２の絞り量（絞り穴６１ａ、６２ａの径）が設定されている。
【００３３】
このように、伸縮体２や専管体４の材質、内径、長さなどを考慮した上で、伸縮体２を伸ばすのに要する必要呼気力が、目的や使用者状況などに応じて設定された適正値になるように、線状体３の弾性力（弾性係数）、配設数と、空気調整体６による絞り量（調整空気量）とが設定されている。換言すると、口吹体５から空気を吹き込む力（呼気圧）が適正値（所定値）以上でないと、伸縮体２が伸びないように、線状体３の弾性力や空気調整体６による絞り量が調整されているものである。
【００３４】
また、口吹体５には、マウスピース７が装着自在となっている。このマウスピース７は、抗菌加工が施された柔軟材料（例えば、シリコーン）から構成され、図１、２に示すように、半透明な円筒状で、筒内に口吹体５を挿入して専管体４を圧入することで、装着可能となっている。そして、このようなマウスピース７を装着することで、使用者のくわえ心地が良好になるとともに、長期間繰り返し使用しても衛生状態を良好に維持することが可能になるものである。
【００３５】
このような構成の吹き戻し１では、使用者が口吹体５（マウスピース７）から空気を吹き込むと、図２に示すように、空気が伸縮体２に流入して伸縮体２が伸び、空気を吹き込まない状態では、図１に示すように、線状体３の弾性力によって伸縮体２が渦巻状に巻き戻る。この際、口吹体５から空気を吹き込む力（呼気圧）が、目的や使用者状況などに応じて設定された適正値（所定値）以上でないと、伸縮体２が伸び続けていかず、また、目的や使用者状況などに応じて予め設定された空気量だけ吹き込まないと、伸縮体２が全長Ｌにわたって伸びない。従って、このような吹き戻し１を使用して伸縮体２の伸縮（吹き戻し）を繰り返すことで、目的や使用者状況などに応じた適正な吹き込み力での運動、訓練が行えるものである。
【００３６】
以上のように、この吹き戻し１によれば、線状体３の弾性力が所定の値に設定され、さらに、伸縮体２側に流入する空気量を調整する空気調整体６を備えることで、口吹体５から空気を吹き込む力（呼気圧）が所定値以上でないと、伸縮体２が伸びないようになっている。つまり、線状体３の弾性力と、空気調整体６による空気量の調整（空気の絞り）との双方によって、伸縮体２を伸ばすのに要する必要呼気力（必要呼気圧）が設定されている。
【００３７】
このため、線状体３と空気調整体６との双方を調整することで、必要呼気力を目的や使用者状況などに応じた適正値に、精度高く設定することが可能となる。すなわち、健康促進や治療、美容等の目的や、使用者の口腔機能状態や体調等の使用者状況などに応じて、吹き込む力（呼気圧）の適正値が細かく設定されていても、この適正値に合わせて必要呼気力を精度高く設定することが可能となる。
【００３８】
しかも、空気調整体６に絞り部６１と絞り体６２とを備えるため、絞り部６１と絞り体６２との双方の絞り量を調整することで、伸縮体２側に流入する空気量をより精度高く微調整することが可能となる。この結果、伸縮体２を伸ばすのに要する必要呼気力を目的や使用者状況などに応じた適正値に、より精度高く設定することが可能となる。また、絞り体６２が口吹体５とは別体になっているため、第２の絞り穴６２ａの径が異なる絞り体６２を口吹体５に装着することで、口吹体５を変えることなく容易に、空気調整体６による絞り量（調整空気量）を調整、変更することが可能となる。
【００３９】
さらに、線状体３が、２つの素材２１、２２で強固に挟持、保持された状態で、伸縮体２に強固に一体的に配設されているため、線状体３の弾性力がそのまま伸縮体２に伝わる。この結果、線状体３に設定されている弾性力がそのまま、伸縮体２を伸ばすのに要する必要呼気力に影響するため、線状体３の弾性力を所定値に設定することで、必要呼気力を所望の適正値により精度高く設定することが可能となる。
【００４０】
すなわち、線状体３を伸縮体２に沿わせて接着、配設するだけでは、線状体３と伸縮体２とが別体の状態となり、線状体３の弾性力がそのまま伸縮体２に伝わらない。この結果、伸縮体２の弾性力（巻き戻る力）が線状体３の弾性力とは異なり、伸縮体２を伸ばすのに要する必要呼気力が影響、変化される。これに対して、この吹き戻し１では、線状体３が伸縮体２に強固に一体的に配設されているため、このような影響、変化がなく、必要呼気力を所望の適正値により精度高く設定することが可能となるものである。
【００４１】
また、複数の線状体３を配設して、伸縮体２を伸ばすのに要する必要呼気力を調整、設定することで、必要呼気力を所望の適正値により精度高く設定することが可能となる。
【００４２】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、１つの専管体４に対して１つの伸縮体２を設けているが、吹き戻し１の使用目的や使用者状況などに応じて、１つの専管体４に対して複数の伸縮体２を設けてもよい。また、伸縮体２に目盛を付けて、どのくらい伸縮体２を伸ばせるかを目視で容易に確認できるようにしてもよい。
【符号の説明】
【００４３】
１        吹き戻し
２        伸縮体
２１      第１の素材
２１ａ    一端部
２１ｂ    他端部
２１ｃ    重なり部
２２      第２の素材
３        線状体
４        専管体
５        口吹体
６        空気調整体（流量調整手段）
６１      絞り部
６１ａ    第１の絞り穴
６２      絞り体
６２ａ    第２の絞り穴
７        マウスピース
【要約】
【課題】  伸縮体を伸ばすのに要する必要呼気力を目的や使用者状況などに応じた適正値に、精度高く設定する。
【解決手段】  筒状で変形自在な伸縮体２と、弾性を有し伸縮体２の長手方向に沿って配設された線状体３と、筒状で伸縮体２の端部に接続され使用者がくわえて空気を吹き込む口吹体５と、を備え、口吹体５から空気を吹き込むと伸縮体２が伸び、空気を吹き込まない状態では、線状体３の弾性力によって伸縮体２が渦巻状に巻かれる吹き戻し１であって、線状体３の弾性力が所定の値に設定され、さらに、口吹体５内に伸縮体２側に流入する空気量を調整する空気調整体６を備えることで、口吹体５から空気を吹き込む力が所定値以上でないと、伸縮体２が伸びないようになっている。
【選択図】  図１【図１】
0005656238.tif 000002
【図２】
0005656238.tif 000003
【図３】
0005656238.tif 000004
【図４】
0005656238.tif 000005